(57)【要約】      （修正有）【課題】腕時計バンドの留め金を単純、迅速かつ確実に快適に伸張させて調節でき、また、必要に応じて掃除および部品取り替えのために容易に分解できる留め金を提供する。【解決手段】ブレスレットまたはリストバンド用の留め金１であって、第１のブレード２は第２のブレード３が第１のブレード２の上で折り畳まれる閉位置と、第２のブレード３が第１のブレード２から解放される開位置との間で第１の端部で第２のブレードに関節連結し、第１のブレード２は、第２の端部で第１のリストバンド部分を装着する部材に関節連結する。留め金１は、開位置で第２のブレード３の位置を第１のブレード２に対して調整するように構成された調整手段を備え、調整手段は、第２のブレード３に機械加工された溝と第１のブレード２と一体化していて溝を通る軸２０とを備え、軸２０は、第２のブレード３を動かすために軸２０を解放しかつ／またはロックするための押材２１を受ける。【選択図】図１
2018202152.tif 000002
【特許請求の範囲】
【請求項１】
少なくとも第１のブレードおよび第２のブレード（２；３）を備えているリストバンドまたはブレスレット用の留め金であって、前記第１のブレード（２）は、前記第２のブレード（３）が前記第１のブレード（２）の上で折り畳まれる装着位置と称する閉位置と、前記第２のブレード（３）が前記第１のブレード（２）から解放される開位置との間で、第１の端部で前記第２のブレード（３）に関節連結し、前記第１のブレード（２）は、第２の端部で第１のリストバンド部分を装着する部材（５）に関節連結し、前記第２のブレード（４）には第２のリストバンド部分が少なくとも間接的に接続し、前記留め金は、閉位置で前記第１のブレードを前記第２のブレード上でロックする第１の手段を備えている、留め金において、
前記留め金（１）は、開位置で前記第２のブレード（３）の位置を前記第１のブレード（２）に対して調整する手段を備え、前記調整手段は、前記第２のブレード（３）に機械加工された溝（３０）と、前記第１のブレード（２）と一体化していて前記溝（３０）を通る軸（２０）とを備え、前記溝（３０）は、短位置および長位置を画定する少なくとも２つの凹部（３１、３２）を有し、前記軸（２０）は、前記第２のブレード（３）を一方の凹部（３１、３２）からもう一方の凹部に動かすために前記軸を解放しかつ／またはロックするための押材（２１）を受けることを特徴とする、留め金（１）。
【請求項２】
前記軸（２０）は直径がＤ１の筒状であり、前記軸は、その長さの一部にわたって直径Ｄ２が直径Ｄ１よりも短い小部分を有する、請求項１に記載のリストバンドの留め金。
【請求項３】
前記溝（３０）の高さＨは前記小部分の直径Ｄ２とほぼ同じであり、前記凹部の直径Ｄ３は前記軸（２０）の直径Ｄ１とほぼ同じであり、高さＨは前記凹部（３１、３２）の直径Ｄ３よりも短い、請求項２に記載の留め金。
【請求項４】
前記押材（２１）は、休止位置で前記押材（２１）をいずれか一方の前記凹部（３１、３２）の内側に保持するためのばね（２７）を少なくとも１つ備え、直径がＤ２である前記小部分は、前記休止位置では前記溝（３０）に対して長手方向にずれる、請求項２または３に記載の留め金。
【請求項５】
前記押材（２１）は、その第１の端部の関節連結部の近傍で少なくとも部分的に前記第１のブレード（２）の内部に収容される、請求項１〜４のいずれか一項に記載の留め金。
【請求項６】
前記軸（２０）および前記押材（２１）は、一体の部材を形成する、請求項１〜５のいずれか一項に記載の留め金。
【請求項７】
前記溝（３０）は、前記第１の凹部と第２の凹部（３１、３２）との間に位置する中間凹部と称する少なくとも１つの第３の凹部を含んで、前記長位置と前記短位置との間の前記中間位置を画定する、請求項１〜６のいずれか一項に記載の留め金。
【請求項８】
閉位置で前記第１のブレード（２）を前記第２のブレード（３）にロックする前記第１の手段は、前記第２のブレード（３）と一体化した少なくとも１つのボールラチェット（２５）を備えているとともに、前記第１のブレード（２）に形成され、前記ボールラチェット（２５）と協働するように構成された孔を備えている、請求項１〜７のいずれか一項に記載の留め金。
【請求項９】
前記第１のブレード（２）の第２の端部に関節連結した第３のブレード（４）と、前記第３のブレード（４）に回動式に関節連結したベースプレート（４２）と、前記ベースプレート（４１）に回動式に関節連結したカバー（４２）とを備え、前記第１のリストバンド部分は、保持手段によって保持され、前記カバー（４２）は、閉位置で前記カバー（４２）を前記第１のブレード（２）上にロックする第２の手段を備えている、請求項１〜８のいずれか一項に記載の留め金。
【請求項１０】
閉位置で前記カバー（４２）をロックする前記第２の手段は、前記第１のブレードと一体化したピン（１１）と協働するように構成された、前記カバー（４２）の下部を通る孔を有し、前記カバーは、前記カバー（４２）が閉位置で前記第１のブレード（２）上にロックされる第１の休止位置と、前記カバー（４２）が前記第１のブレード（２）から解放される第２の押し込み位置との間で、使用者の行為に反応して前記留め金に対して垂直方向に動くように構成された少なくとも１つの押材（４３）を備えている、請求項１〜８のいずれか一項に記載の留め金。
【請求項１１】
前記カバー（４２）は、前記閉位置で前記第２のブレード（３）を少なくとも部分的に覆う、請求項９または１０に記載の留め金。
【請求項１２】
請求項１〜１１のいずれか一項に記載の留め金を有するブレスレットまたはリストバンドを備えている腕時計。
【発明の詳細な説明】
【技術分野】
【０００１】
本発明は、ブレスレットまたはリストバンド、特に腕時計のリストバンド用の留め金に関する。
【背景技術】
【０００２】
欧州特許第１４６４２４５号から、展開式バックルが付いた留め金が知られ、このバックルは、１つは下方、１つは上方にある２つのアーチ状アームであって、各アームに凹面および凸面が設けられ、上方アームの凹面は、留め金の閉位置で下方アームの凸面に隣接し、上方アームは、弾性によって湾曲可能である、２つのアーチ状アームと、２つの部分を備えているロック手段であって、各部分は１つのアームに連結し、第１の部分は、少なくとも２つの切り欠き部を含み、第２の部分は、上方アームが弾性変形することによって一方またはもう一方の切り欠き部の内部にスナップ嵌合するように構成されたヘッドを含む、ロック手段と、アームどうしをその一方の端部で、アームの面に実質的に平行な軸周りに関節連結式に互いに接続し、ヘッドが一方またはもう一方の切り欠き部と係合できる少なくとも２つの位置を上方アームが取れるようにする、接続手段と、アームのもう一方の端部に配置されたリストリストバンド部分を装着する手段とを備えている。
【０００３】
このような機構では、軸がアームと一緒に移動するため、つまり軸は、隙間によっては片持ち状態または不安定な位置になってアームを望ましくない位置にロックするおそれがあるため、使用者が操作するのは容易ではない。さらに、位置のロックは完全に信頼できるものではなく、短位置で開けたときに使用者の意思に反して留め金が長位置に動くというリスクがある。
【先行技術文献】
【特許文献】
【０００４】
【特許文献１】欧州特許第１４６４２４５号
【発明の概要】
【発明が解決しようとする課題】
【０００５】
本発明の目的は、これらの公知の技術の様々な欠点を克服することである。
【０００６】
さらに詳細には、本発明の目的は、腕時計バンドの留め金を単純、迅速かつ確実に快適に伸張させて調節できる留め金を提供することである。
【０００７】
本発明のもう一つの目的は、必要に応じて掃除および部品取り替えのために容易に分解できる留め金を提供することである。
【０００８】
少なくとも特定の実施形態で、使用が簡易で安価な留め金を提供することも本発明の目的である。
【課題を解決するための手段】
【０００９】
これらの目的は、以下にさらに明瞭に明らかにするその他の目的とともに、少なくとも第１のブレードおよび第２のブレードを備えているリストバンドの留め金であって、第１のブレードは、第２のブレードが第１のブレードの上で折り畳まれる装着位置と称する閉位置と、第２のブレードが第１のブレードから解放される開位置との間で、第１の端部で第２のブレードに関節連結し、第１のブレードは、第２の端部で第１のリストバンド部分を装着する部材に関節連結し、第２のブレードには第２のリストバンド部分が少なくとも間接的に接続し、留め金は、閉位置で第１のブレードを第２のブレード上でロックする第１の手段を備えている、留め金を用いて、本発明によって達成される。
【００１０】
本発明によれば、留め金は、開位置で第２のブレードの位置を第１のブレードに対して調整するように構成された調整手段を備え、調整手段は、第２のブレードに機械加工された溝と、第１のブレードと一体化していて溝を通る軸とを備え、溝は、短位置および長位置を画定する少なくとも２つの凹部を有し、軸は、第２のブレードを一方の凹部からもう一方の凹部に動かすために軸を解放しかつ／またはロックするための押材を受ける。
【００１１】
本発明のその他の有利な変形例によれば、
−軸は、直径がＤ１の筒状であり、前記軸は、その長さの一部にわたって直径Ｄ２が直径Ｄ１よりも短い小部分を有し、
−溝の高さＨは小部分の直径Ｄ２とほぼ同じであり、凹部の直径Ｄ３は軸の直径Ｄ１とほぼ同じであり、高さＨは凹部の直径Ｄ３よりも短く、
−押材は、休止位置で押材をいずれか一方の凹部の内側に保持するためのばねを備え、直径がＤ２である小部分は、休止位置では溝に対して長手方向にずれ、
−押材は、その第１の端部の関節連結部の近傍で第１のブレードの内部に収容され、
−軸および押材は、一体の部材を形成する。
【００１２】
−溝は、第１の凹部と第２の凹部との間に位置する中間凹部と称する少なくとも１つの第３の凹部を含んで、長位置と短位置との間の中間位置を画定し、
−閉位置で第１のブレードを第２のブレードにロックする第１の手段は、第２のブレードと一体化した少なくとも１つのボールラチェットを備えているとともに、第１のブレードに形成され、ボールラチェットと協働するように構成された孔を備え、
−留め金は、第１のブレードの第２の端部に関節連結した第３のブレードと、第３のブレードに回動式に関節連結したベースプレートと、ベースプレートに回動式に関節連結したカバーとを備え、第１のリストバンド部分は、保持手段によって保持され、カバーは、閉位置でカバーを第１のブレード上にロックする第２の手段を備え、
−閉位置でカバーをロックする第２の手段は、第１のブレードと一体化したピンと協働するように構成された、ベースプレートを通る孔を有し、カバーは、カバーが閉位置で第１のブレード上にロックされる第１の休止位置と、カバーが第１のブレードから解放される第２の押し込み位置との間で、使用者の行為に反応して留め金に対して垂直方向に動くように構成された少なくとも１つの押材を備えている。
−カバーは、閉位置で第２のブレードを少なくとも部分的に覆う。
【００１３】
本発明は、本発明による留め金を有するブレスレットまたはリストバンドを備えている腕時計にも係る。
【００１４】
このように、上記の様々な機能上および構造上の態様によって、本発明は、リストバンド部分の長さの調整がとりわけ容易かつ迅速である留め金を得ることを可能にする。
【００１５】
本発明のその他の特徴および利点は、単に例示的で非限定的な例として挙げた本発明の特定の実施形態および添付の図面に関する以下の説明を読むことでさらに明瞭に明らかになるであろう。
【図面の簡単な説明】
【００１６】
【図１】本発明による留め金の斜視図である。
【図２ａ】本発明による留め金の分解図である。
【図２ｂ】本発明による留め金の斜視図である。
【図２ｃ】本発明による留め金の第２のブレードの詳細図である。
【図２ｄ】本発明による留め金の調整手段、特に溝の詳細図である。
【図３】図３ａは、短位置にある本発明による留め金の上面図である。図３ｂは、短位置にある本発明による留め金の線Ｇ−Ｇに沿った断面図である。
【図４】図４ａは、長位置にある本発明による留め金の上面図である。図４ｂは、長位置にある本発明による留め金の線Ｍ−Ｍに沿った断面図である。
【図５】図５ａは、本発明による留め金の断面図である。図５ｂは、ロック解除位置にある調整手段の断面図である。図５ｃは、ロック位置にある調整手段の断面図である。
【発明を実施するための形態】
【００１７】
次に、第１の例の実施形態による調節可能なリストバンド用の留め金を、図１、図２ａ、図２ｂ、図２ｃ、図２ｄ、図３ａ、図３ｂ、図４ａ、図４ｂ、図５ａ、図５ｂおよび図５ｃを合わせて参照して以下に説明する。
【００１８】
本発明は、少なくとも第１のブレードおよび第２のブレードを備えている展開式バックル型のブレスレットまたはリストバンド用の留め金１に関し、第１のブレード２は、第２のブレード３が第１のブレード２の中に折り畳まれる装着位置と称する閉位置と、第２のブレード３が第１のブレード２から解放される開位置との間で、第１の端部で第２のブレード３に関節連結している。
【００１９】
第２の端部では、第１のブレード２は、第１のリストバンド部分と、例えば連結部５を装着する手段を介して第１のブレード２に少なくとも間接的に接続している第２のリストバンド部分と、第２のブレード３をその閉位置に保持できる第１のロック手段を含んでいる第２のブレード３とを装着する手段を有する。第１のリストバンド部分または第１の連結部に装着する手段は、図示したように第３のブレード４の形態を取ってもよいし、あるいはこの部分または連結部を、単純に第１のブレード２に直接装着することもできるし、関節連結した中間部材を介して間接的に第１のブレード２に装着することもできる。
【００２０】
リストバンド部分は、皮革、布、帆布などの材料、またはリストバンドもしくはベルトを製造する当業者に公知である任意のその他の材料でできていてよい。
【００２１】
ブレスレットの連結部は、それが金属製であるか、セラミック製であるか、複合材料製であるか、あるいは連結部を製造する当業者に公知である任意の材料であるかにかかわらず、このリストバンド部分に装着することもできる。
【００２２】
第１のブレード２は、例えばその中央に中央孔１０と称する貫通孔を有していてよく、この中央孔は、ピン１１を受け入れるように構成されているため、ピンは、押材または本発明の範囲内で当業者に公知の任意のその他の留め金ロック手段と協働する。例えば押材に配置されている他のフックと協働するように構成された固定フックを第１のブレード２上に設置することもできる。
【００２３】
留め金は、開位置で第２のブレード３の位置を第１のブレード２に対して調整する手段を含んでいる。調整手段は、図２ｄに見えている第２のブレード３に機械加工した溝３０を有するとともに、第１のブレード２と一体化していて溝３０を通るように配置された軸２０を備えている。
【００２４】
図２ｄからわかるように、溝３０は、短位置および長位置を画定する少なくとも２つの凹部３１、３２と、この２つの凹部３１および３２に比して高さＨが低い部分とを有し、この低い部分は、溝３０の中央で上部および下部に左右対称に配置された２つの傾斜部３００によって達成できるものである。
【００２５】
軸２０は、その一方の端部で、第２のブレード３を一方の凹部３１、３２からもう一方の凹部に動かすために軸を解放しかつ／またはロックするための押材２１を受け、軸のもう一方の端部は、例えばねじ２８を介して第１のブレードに固定されている。
【００２６】
調整手段に必要な空間を限定するため、押材２１は、その第１の端部の関節連結部の近傍で部分的に第１のブレード２の内部に収容される。このようにするために、第１のブレード２は、押材２１の形状と相補する形状のハウジング２３を有し、ハウジング２３は、軸２０を第１のブレード２に貫通させる第１の貫通孔２４を含んでいる。
【００２７】
図示したように、押材２１は断面が長円形である本体の形状であり、部分的にハウジング２３の内部に収まっているため、押材２１はわずかに突出しており、それによって作動が容易になる。当然ながら押材には、円形または長方形の断面など、その他の形態を検討できる。当業者は、設計の都合で押材２１を第１のブレード２と面一に挿入することも検討できるが、このようにすると押材を作動させるのがより困難になる。
【００２８】
本発明の特定の実施形態によれば、軸２０および押材２１は、一体の部材を形成する。もちろん両者は２つの別々の部材であってもよく、押材２１を例えば軸２０の中にねじ込むか、あるいは押材を軸２０上で駆動させることができる。
【００２９】
図２、図５ｂおよび図５ｃに示したように、軸２０は筒状で、３つの部分、すなわち直径がＤ１である第１の部分および第３の部分、ならびに第１の部分と第３の部分との間に位置し、直径Ｄ１よりも短い直径Ｄ２を有する小部分と称する第２の部分を含んでいる。軸２０は、第１の貫通孔２４を横断し、次に溝３０を通って第２のブレードを横断し、次に第２の貫通孔２６を通って再び第１のブレードを横断するという順序で第１のブレード２を横断する。軸２０は、第１の端部が押材によって、もう一方の端部がねじ２８によってしかるべき場所に保持され、ねじ２８は孔２６の中にある状態である。
【００３０】
軸２０は、溝３０を横断するように配置され、溝の高さＨは、軸２０の小部分の直径Ｄ２とほぼ同じである。凹部３１および３２の直径Ｄ３は軸の直径Ｄ１とほぼ同じであり、留め金の調整を不注意で間違えるのを避けるために高さＨは凹部の直径Ｄ３よりも短い。
【００３１】
有利には、押材２１は、休止位置で押材を凹部３１または３２のいずれか一方の内側に保持するためのばね２７を少なくとも１つ備え、直径がＤ２である小部分は、休止位置では溝３０に対して長手方向にずれている。簡易な構造にするため、ばね２７を押材２１と第１のブレード２との間でハウジング２３の内部に配置してもよい。
【００３２】
図２ｂおよび図２ｃに示したように、ハウジング２３は２つのばね２７備え、各々のばね２７は、ばねをしかるべき場所に保持するために機械加工した部分２７０の内側に部分的に留まる。ばね２７は、貫通孔２４の各側に配置され、軸２０はこの貫通孔を通って力をよりよく分配し、着用者が押材２１を押したときにできる限り直線状の動きを達成する。
【００３３】
着用者の必要性に応じて、溝３０は、第１の凹部３１と第２の凹部３２との間に位置する中間凹部と称する少なくとも１つの第３の凹部を含んで、長位置と短位置との間の中間位置を画定してもよい。当業者は、必要な数の凹部を足してよいが、実装を簡易化して使用者が留め金１を操作しやすくするために実現可能な調整が多すぎることは望ましくない。
【００３４】
有利には、第２のブレード３が長位置に位置しているときに、２つのブレード２および３の端部の関節連結部の近傍で第１のブレード２と第２のブレード３との間に空間ができないように、第１のブレード２の方がやや長くなるように構成される。
【００３５】
第１のロック手段は、例えば第１のブレード２に形成された孔と協働するように構成された少なくとも１つのボールラチェット２５で形成されて、第１のブレード２を第２のブレード３に当接させて閉位置に保持してもよく、それによって第２のブレード３が第１のブレード２の上に折り畳んでしまえば第２のブレード３の調整を間違えることが防止される。
【００３６】
そのため、留め金を調整するには、使用者はまず第２のブレード３を第１のブレード２から展開させる。次に使用者は、押材２１を押して軸２０を図５ｃにあるような休止位置から図５ｂにあるような引っ込み位置に向けて動かす。すると、軸２０の小部分は反対側の溝３０に配置され、そのとき着用者は、第２のブレード３を凹部３１から凹部３２に、またはこの逆方向に動かすことができる。最後に、第２のブレード３が所望の凹部に位置した時点で、着用者は押材２１を解放し、押材はばねの作用で休止位置に戻り、そのとき第１の部分は反対側の溝３０にあり、第２のブレード３の並進運動を防止する。その後、着用者は、腕時計を着用するには単に留め金１を閉じればよい。
【００３７】
図示した実施形態によれば、留め金は、第１のブレード２の第２の端部に関節連結している第３のブレード４を備え、第３のブレード４にはベースプレート４１が回動式に関節連結し、ベースプレート４１にはカバー４２が取り付けられ、第１のリストバンド部分または連結部は、保持手段４４によって保持されている。
【００３８】
第２のブレード３および第３のブレード４は、第２のブレード３および第３のブレード４が第１のブレード２の上に折り畳まれている装着位置と称する閉位置から、第２のブレード３および第３のブレード４が第１のブレード２から解放されている開位置まで動くことができる。
【００３９】
図１および図２からわかるように、第１のブレード２は、中央孔１０の両側に対称に配置された２つの長手切り欠き部分１２および１３を含んでいる。有利には、長手切り欠き部分１２は第２のブレード３に、長手切り欠き部分１３は第３のブレード４に対してそれぞれ相補型である。
【００４０】
このように、第２のブレード３および第３のブレード４は、少なくとも部分的に長手ハウジング１２および１３の内部に留まるため、第２のブレード３の第２の端部および第３のブレード４の第２の端部は、中央孔１０の直近に留まる。
【００４１】
図２に示したように、カバー４２はベースプレート４１を受け入れる凹部４２０を有するため、ベースプレート４１はカバー４２の一方の端部に挿入される。
【００４２】
カバー４２は、カバーを第１のブレード２上で閉位置にロックする第２の手段を備え、第２のロック手段は、第１のブレード２と一体化したピン１１と協働するように構成された、カバー４２の下部を通る孔と、カバー４２が閉位置で第１のブレード２上にロックされる第１の休止位置と、カバー４２が第１のブレード２から解放される第２の押し込み位置との間で、使用者による圧力に反応して留め金１に対して垂直方向に動くように構成された２つの押材４３とを備えている。
【００４３】
押材４３は、カバーの両側から突出するように、長さがカバー４２の幅よりも長い本体で形成されている。押材４３は、カバー４２の側縁に形成された案内スロットの中に摺動式に取り付けられ、押材どうしを離して保持するばねと当接して係合している。図からわかるように、各押材は、押材４３がばねによって偏ったときにピン１１を通してピンを保持する通路およびフックを有する。
【００４４】
本発明は、前述したような留め金を備えているブレスレットまたはリストバンドを含む腕時計にも係る。
【００４５】
本発明のこれらの様々な態様の結果、リストバンドまたはベルトの一部の長さを調整できる簡易設計の留め金を提供する。
【００４６】
もちろん、本発明は例示した例に限定されず、当業者に自明の様々な変形例および修正が可能である。
【符号の説明】
【００４７】
１  留め金
２  第１のブレード
３  第２のブレード
４  第３のブレード
５  連結部
１０  中央孔
１１  ピン
１２、１３  長手切り欠き部分
２０  軸
２１  押材
２３  ハウジング
２４  貫通孔
２５  ボールラチェット
２６  貫通孔
２７  ばね
２８  ねじ
３０  溝
３１、３２  凹部
４１  ベースプレート
４２  カバー
４３  押材
３００  傾斜部
４２０  凹部
【図１】
2018202152.tif 000003
【図２ａ】
2018202152.tif 000004
【図２ｂ】
2018202152.tif 000005
【図２ｃ】
2018202152.tif 000006
【図２ｄ】
2018202152.tif 000007
【図３】
2018202152.tif 000008
【図４】
2018202152.tif 000009
【図５】
2018202152.tif 000010